(57)【要約】【課題】パネル支持フレームにより支持される液晶表示パネルに加わる荷重を軽減して、液晶表示パネルの破損を防止する。【解決手段】基板１３に取付けられたパネル支持フレーム１２により液晶表示パネル１１が支持された液晶表示装置１であって、パネル支持フレーム１２は、液晶表示パネル１１が取付けられたパネル取付部１２４と、基板１３の一面に取付固定された基板取付固定部１２３と、基板取付固定部１２３とパネル取付部１２４との間に設けられ、屈曲形成された弾性変形部１２２２とを備えている。【選択図】図２
2008102280.tif 000002
【特許請求の範囲】
【請求項１】
基板の一面に取付けられたパネル支持フレームにより液晶表示パネルが支持された液晶表示装置であって、
前記基板の一面のうち、前記液晶表示パネルの背面側に対向する部分には、電子部品が搭載され、
前記パネル支持フレームは、
前記液晶表示パネルが取付けられたパネル取付部と、
前記基板の一面に取付固定された基板取付固定部と、
前記基板取付固定部と前記パネル取付部との間に設けられた弾性変形部とを備え、
前記基板取付固定部及び弾性変形部は、前記電子部品と反対側に向けて屈曲して形成されていることを特徴とする液晶表示装置。
【請求項２】
基板の一面に取付けられたパネル支持フレームにより液晶表示パネルを支持する液晶表示パネルの支持構造であって、
前記パネル支持フレームは、
前記液晶表示パネルが取付けられたパネル取付部と、
前記基板の一面に取付固定された基板取付固定部と、
前記基板取付固定部と前記パネル取付部との間に設けられた弾性変形部とを備えることを特徴とする液晶表示パネルの支持構造。
【請求項３】
前記基板の一面のうち、前記液晶表示パネルの背面側に対向する部分には、電子部品が搭載され、
前記基板取付固定部及び前記弾性変形部は、前記電子部品と反対側に向けて屈曲して形成されていることを特徴とする請求項２に記載の液晶表示パネルの支持構造。
【発明の詳細な説明】
【技術分野】
【０００１】
本発明は、液晶表示パネルの支持構造及び液晶表示装置に関する。
【背景技術】
【０００２】
従来、携帯電話機、携帯型テレビ、ＰＤＡ（personal digital assistant）等には、各種情報を表示する液晶表示装置が搭載されている。
この液晶表示装置３０１は、例えば、基板３１３の表面に取付固定された金属製のパネル支持フレーム３１２により液晶表示パネル３１１が支持され、この液晶表示パネル３１１の縁部を被覆するように樹脂製の筐体（カバー部材）３０２が取り付けられている（図６参照）。具体的には、パネル支持フレーム３１２は、基板３１３にビス止めされた基板取付固定部３１２３と、この基板取付固定部３１２３の内側の端部に連続し、且つ、基板３１３に対して略直角に形成された支持脚部３１２２と、この支持脚部３１２２の基板３１３と反対側の端部に連続して形成されたパネル裏面部３１２１と、パネル裏面部３１２１の一部から延出され、液晶表示パネル３１１が取付けられたパネル取付部３１２４等を備えて構成されている。
【０００３】
ここで、表示パネルを保持するモールドと、モールドと表示パネルとの間に弾性部材が配置された表示装置が知られている（例えば、特許文献１参照）。
また、液晶表示パネルがずれるのを防止するために、バネ性を利用して取付固定する方法も開示されており、見切り板のパネル押さえバネを外枠のバネ掛合部と掛合させて、外枠と見切り板との間に液晶表示パネルを固定させた液晶表示装置（例えば、特許文献２参照）や、パネル固定枠の弾性力を利用してパネル収納部に収納される液晶表示パネルを取付固定した電子機器（例えば、特許文献３参照）が知られている。
【特許文献１】特開２００５−９１９７１号公報
【特許文献２】特開２００２−１８９２１０号公報
【特許文献３】特開２００２−７２９０９号公報
【発明の開示】
【発明が解決しようとする課題】
【０００４】
ところで、図６に示すように、液晶表示パネルの所定位置、例えば、縁部分にカバー部材側から衝撃が加えられると、パネル支持フレームにより支持される液晶表示パネルに全ての荷重がかかるため、液晶表示パネルに傷がついたり割れてしまうといった問題がある。
【０００５】
なお、特許文献１には、弾性部材により表示パネルに加わる衝撃を緩衝する構造が開示されているが、パネル支持フレームにより表示パネルを支持する構造とは異なっている。即ち、本願発明は、パネル支持フレーム一部材で液晶表示パネルの支持及び当該パネルに加わる衝撃緩衝を図るものである。
【０００６】
そこで、本発明の課題は、パネル支持フレームにより支持される液晶表示パネルに加わる荷重を軽減して、液晶表示パネルの破損を防止することができる液晶表示パネルの支持構造及び液晶表示装置を提供することである。
【課題を解決するための手段】
【０００７】
上記課題を解決するため、請求項１に記載の発明は、
基板の一面に取付けられたパネル支持フレームにより液晶表示パネルが支持された液晶表示装置であって、
前記基板の一面のうち、前記液晶表示パネルの背面側に対向する部分には、電子部品が搭載され、
前記パネル支持フレームは、
前記液晶表示パネルが取付けられたパネル取付部と、
前記基板の一面に取付固定された基板取付固定部と、
前記基板取付固定部と前記パネル取付部との間に設けられた弾性変形部とを備え、
前記基板取付固定部及び弾性変形部は、前記電子部品と反対側に向けて屈曲して形成されていることを特徴としている。
【０００８】
請求項２に記載の発明は、
基板の一面に取付けられたパネル支持フレームにより液晶表示パネルを支持する液晶表示パネルの支持構造であって、
前記パネル支持フレームは、
前記液晶表示パネルが取付けられたパネル取付部と、
前記基板の一面に取付固定された基板取付固定部と、
前記基板取付固定部と前記パネル取付部との間に設けられた弾性変形部とを備えることを特徴としている。
【０００９】
請求項３に記載の発明は、請求項２に記載の液晶表示パネルの支持構造において、
前記基板の一面のうち、前記液晶表示パネルの背面側に対向する部分には、電子部品が搭載され、
前記基板取付固定部及び前記弾性変形部は、前記電子部品と反対側に向けて屈曲して形成されていることを特徴としている。
【発明の効果】
【００１０】
請求項１に記載の発明によれば、液晶表示パネルを支持するパネル支持フレームには、基板に取り付けられる基板取付固定部とパネル取付部との間に弾性変形部が設けられているので、液晶表示パネルに衝撃が加えられると、当該衝撃の大きさに従って弾性変形部が弾性変形することで液晶表示パネルに加わる衝撃を緩衝することができる。このように、液晶表示パネルに加わる荷重を軽減することができ、液晶表示パネルの破損を適正に防止することができる。
従って、パネル支持フレーム一部材で液晶表示パネルを支持することができるとともに、当該液晶表示パネルに加わる衝撃を適正に緩衝することができる。
また、基板取付固定部及び弾性変形部は、基板の液晶表示パネルの背面側に搭載された電子部品と反対側に向けて屈曲して形成されているので、基板の液晶表示パネルの背面側に搭載される電子部品の量を増加させることができ、電子部品の搭載効率を向上させることができる。
【００１１】
請求項２に記載の発明によれば、液晶表示パネルを支持するパネル支持フレームには、基板に取り付けられる基板取付固定部とパネル取付部との間に弾性変形部が設けられているので、液晶表示パネルに衝撃が加えられると、当該衝撃の大きさに従って弾性変形部が弾性変形することで液晶表示パネルに加わる衝撃を緩衝することができる。このように、液晶表示パネルに加わる荷重を軽減することができ、液晶表示パネルの破損を適正に防止することができる。
従って、パネル支持フレーム一部材で液晶表示パネルを支持することができるとともに、当該液晶表示パネルに加わる衝撃を適正に緩衝することができる。
【００１２】
請求項３に記載の発明によれば、請求項２に記載の発明と同様の効果が得られるのは無論のこと、特に、基板取付固定部及び弾性変形部は、基板の液晶表示パネルの背面側に搭載された電子部品と反対側に向けて屈曲して形成されているので、基板の液晶表示パネルの背面側に搭載される電子部品の量を増加させることができ、電子部品の搭載効率を向上させることができる。
【発明を実施するための最良の形態】
【００１３】
以下に、本発明について、図面を用いて具体的な態様を説明する。ただし、発明の範囲は、図示例に限定されない。
図１は、本発明を適用した好適な一実施形態として例示する電子機器１００を示す平面図であり、図２は、図１のII−II線における電子機器１００の要部断面を模式的に示す図である。また、図３は、電子機器１００に備わるパネル支持フレーム１２を示す平面図である。
なお、以下の説明では、電子機器１００の液晶表示パネル１１に正対するように向かって縦方向をＸ軸方向、Ｘ軸方向に直交する横方向をＹ軸方向、電子機器１００の厚さ方向をＺ軸方向とする。
【００１４】
本実施形態の電子機器１００は、例えば、内側に液晶表示装置１が搭載されたものであり、携帯電話機、携帯型テレビ、ＰＤＡ等を適用することができる。具体的には、例えば、図１に示すように、電子機器１００は、その正面略中央に筐体２の開口部２ａから液晶表示パネル１１を露出させるように液晶表示装置１が設けられ、この液晶表示装置１の下側には当該電子機器１００の所定操作を行うためのカーソルキー等を備えてなる操作部３が設けられている。
【００１５】
以下に、液晶表示装置１について詳細に説明する。
液晶表示装置１は、例えば、液晶表示パネル１１と、この液晶表示パネル１１を支持する金属製のパネル支持フレーム１２と、このパネル支持フレーム１２が取付固定された基板１３等を備え、液晶表示パネル１１の縁部が樹脂製の筐体２により被覆されている。
【００１６】
基板１３は、例えば、液晶表示パネル１１を制御する各種電子部品１３１が搭載され、具体的には、当該基板１３の上面のうち、液晶表示パネル１１の背面側に対向する部分に、各種電子部品１３１が搭載されている。
【００１７】
また、基板１３の所定位置には、例えば、パネル支持フレーム１２の基板取付固定部１２３（後述）のビス止めに係るビス１２３ａが螺子込まれる取付孔１３２が形成されている。
【００１８】
液晶表示パネル１１は、例えば、図示は省略するが、上下一対の透明電極をそれぞれ有する上下の光透過基板と、上光透過基板の視認側の面に配設された上偏光板と、下光透過基板の奥側の面に配設された下偏光板と、上透明電極の奥側の面に配設された上配向膜と、下透明電極の視認側の面に配設された下配向膜と、上下の配向膜の間に封止された液晶層等を備えている。
そして、液晶表示パネル１１は、例えば、基板１３に実装された表示駆動回路部の制御下にて、上下の透明電極間に所定の電圧が印加されることによって、各種情報を表示するようになっている。
【００１９】
また、液晶表示パネル１１のＹ軸方向側の両端部には、例えば、当該端部から外側に突出されて所定数（例えば、片側２つずつ）の突起部１１１が設けられている。そして、これら突起部１１１がパネル支持フレーム１２のパネル取付部１２４の被係合部（後述）に係合されることで、液晶表示パネル１１がパネル支持フレーム１２により支持されている。
【００２０】
次に、パネル支持フレーム１２について説明する。
パネル支持フレーム１２は、例えば、金属製のシート状材を所定形状に折り曲げて形成され、具体的には、図２及び図３に示すように、液晶表示パネル１１とほぼ等しい矩形状に形成されて当該液晶表示パネル１１の奥側（裏側）に設けられるパネル裏面部１２１と、パネル裏面部１２１の４つの各隅部に連続して設けられた支持脚部１２２と、支持脚部１２２のパネル裏面部１２１と反対側の端部に連続して設けられ、基板１３にビス止めされる基板取付固定部１２３と、パネル裏面部１２１の左右両端部であってＸ軸方向の略中央部から延出されたパネル取付部１２４等を備えている。
【００２１】
パネル取付部１２４の各々は、例えば、パネル裏面部１２１に対して略直角に折り曲げて形成され、液晶表示パネル１１の突起部１１１に対応させて被係合部１２４ａがＸ軸方向に並んで２つ設けられている。
なお、図３にあっては、折り曲げられる前のパネル取付部１２４を図示している。
【００２２】
支持脚部１２２は、例えば、パネル裏面部１２１に対して略直角となるようにシート状材を折り曲げることにより形成されている。具体的には、支持脚部１２２は、例えば、パネル裏面部１２１の４つの隅部からＹ軸方向外側に連設された裏面部連続部１２２１と、裏面部連続部１２２１の下端部に連設された弾性変形部１２２２と、弾性変形部１２２２の下端部に連設された基板取付固定部連続部１２２３等を備えて構成されている。
弾性変形部１２２２は、例えば、基板１３に搭載された電子部品１３１と反対側、即ち、外側に向けて略「く」の字状に屈曲して形成され、液晶表示パネル１１に上側から加わる衝撃の大きさに従って弾性変形するようになっている。
【００２３】
基板取付固定部１２３は、例えば、弾性変形部１２２２と同様に、電子部品１３１と反対側、即ち、外側に向けて基板取付固定部連続部１２２３に対して略直角となるように屈曲して形成されている。
また、基板取付固定部１２３には、例えば、基板１３の取付孔１３２の位置に対応させてビス１２３ａの挿通孔１２３ｂが形成されている。
【００２４】
なお、筐体２の内面には、例えば、液晶表示パネル１１を保護するように、当該液晶表示パネル１１の上面のＹ軸方向側の両端部及び液晶表示パネル１１のＹ軸方向側の両端部に向けて突出するようにリブ２ｂが形成されている。
【００２５】
次に、液晶表示パネル１１に衝撃が加えられた場合について図２及び図４を参照して説明する。
ここで、図４は、図１のII−II線における電子機器１００の要部断面を模式的に示す図であって、液晶表示パネル１１に対して上側から衝撃が加えられた状態を表している。
【００２６】
液晶表示パネル１１のＹ軸方向側の端部に上面側から衝撃が加えられると、通常状態にてわずかに屈曲した形状の液晶表示パネル１１の弾性変形部１２２２（図２参照）が衝撃の大きさに従って外側に屈曲していく（図４参照）。即ち、弾性変形部１２２２の通常状態への復帰力に対して衝撃が大きくなると、当該衝撃の大きさに応じて次第に変形していく。
ここで、弾性変形部１２２２の屈曲（変形）は、弾性変形であるため、加えられる衝撃よりも弾性変形部１２２２の通常状態への復帰力が大きくなると、通常状態へと復帰するように弾性変形部１２２２の屈曲の程度は小さくなる。
【００２７】
以上のように、本実施形態の電子機器１００によれば、液晶表示パネル１１を支持するパネル支持フレーム１２には、基板１３に取り付けられる基板取付固定部１２３と液晶表示パネル１１が取り付けられるパネル取付部１２４との間にＹ軸方向外側に屈曲形成された弾性変形部１２２２が設けられているので、液晶表示パネル１１に筐体２側から衝撃が加えられると、当該衝撃の大きさに従って弾性変形部１２２２が弾性変形することで液晶表示パネル１１に加わる衝撃を緩衝することができる。このように、液晶表示パネル１１に加わる荷重を軽減することができ、液晶表示パネル１１に傷がついたり割れてしまうといった破損を適正に防止することができる。
従って、パネル支持フレーム１２一部材で液晶表示パネル１１を支持することができるとともに、当該液晶表示パネル１１に加わる衝撃を適正に緩衝することができる。
【００２８】
また、基板取付固定部１２３及び弾性変形部１２２２は、基板１３のパネル裏面部１２１の下側に搭載された電子部品１３１と反対側、即ち、Ｙ軸方向外側に向けて屈曲して形成されているので、基板１３の液晶表示パネル１１の背面側に搭載される電子部品１３１の量を増加させることができ、電子部品１３１の搭載効率を向上させることができる。
【００２９】
なお、本発明は、上記実施形態に限定されることなく、本発明の趣旨を逸脱しない範囲において、種々の改良並びに設計の変更を行っても良い。
【００３０】
＜変形例１＞
以下に、変形例１の電子機器について図５を参照して説明する。
ここで、図５（ａ）及び図５（ｂ）は、変形例１の電子機器の要部断面を模式的に示す図である。
変形例１の電子機器に備わる液晶表示装置２０１は、例えば、図５（ａ）及び図５（ｂ）に示すように、液晶表示パネル１１の弾性変形部２２２２が、基板１３に搭載された電子部品１３１側、即ち、内側に向けて略「く」の字状に屈曲して形成されている。そして、液晶表示パネル１１に上側から加わる衝撃の大きさに応じて内側に大きく屈曲していくようになっている（図５（ｂ）参照）。
従って、変形例１の電子機器によれば、基板１３の液晶表示パネル１１の背面側に搭載される電子部品１３１の量はわずかに減少するものの、液晶表示パネル１１のＹ軸方向外側に弾性変形部２２２２が屈曲するためのスペースを確保する必要がなくなり、液晶表示装置１のＹ軸方向の大きさを小さくすることができる。
【００３１】
また、上記実施形態では、支持脚部１２２として、パネル裏面部１２１からＹ軸方向（左右方向）外側に延出されたものを例示したが、これに限られるものではなく、Ｘ軸方向外側、即ち、縦方向に延出されたものであっても良い。
【００３２】
さらに、液晶表示パネル１１の構成や各部の形状等は、上記実施形態に例示したものは一例であり、これらに限られるものではない。
【図面の簡単な説明】
【００３３】
【図１】本発明を適用した好適な一実施形態として例示する電子機器を示す平面図である。
【図２】図１のII−II線における電子機器の要部断面を模式的に示す図である。
【図３】図１の電子機器に備わるパネル支持フレームを示す平面図である。
【図４】図１のII−II線における電子機器の要部断面を模式的に示す図である。
【図５】変形例１の電子機器の要部断面を模式的に示す図である。
【図６】従来の電子機器の要部断面を模式的に示す図である。
【符号の説明】
【００３４】
１００  電子機器
１、２０１  液晶表示装置
１１    液晶表示パネル
１２    パネル支持フレーム
１２２２、２２２２  弾性変形部
１２３  基板取付固定部
１２４  パネル取付部
１３    基板
１３１  電子部品
【図１】
2008102280.tif 000003
【図２】
2008102280.tif 000004
【図３】
2008102280.tif 000005
【図４】
2008102280.tif 000006
【図５】
2008102280.tif 000007
【図６】
2008102280.tif 000008